(57)【要約】【課題】  設備機器の監視システムにおいて、ＷＥＢページを利用した簡単な対話により、監視端末の画面を見やすく調整する。【解決手段】  監視サーバ２はセンサを用いて自家発電設備５、ガス利用機器６、水利用機器７等の動作情報を収集し、ＷＥＢブラウザを用いて監視情報を作成し、ＷＥＢページに載せて監視端末３，４に送信する。監視端末３，４の画面表示を見やすくするために、監視サーバ２は監視端末３，４のユーザーに画面の見やすさを問い合わせるＷＥＢページを提供し、ユーザーからの応答に基づいてＷＥＢページの表示色を調整し、調整済みデータを監視端末３，４のアドレスに関連付けて登録する。【選択図】        図１
2008028898.tif 000002
【特許請求の範囲】
【請求項１】
設備機器の動作状態を監視サーバで監視し、監視情報をＷＥＢページに載せて監視サーバから監視端末に提供するシステムおいて、監視サーバがＷＥＢページを用いて監視端末のユーザーに画面の見やすさを問い合わせ、ユーザーからの応答に基づいてＷＥＢページの表示色を変更することを特徴とする監視端末の画面調整方法。
【請求項２】
ユーザーが画面を見やすいと応答したときに、監視サーバがＷＥＢページの表示色を監視端末のアドレスに関連付けて登録することを特徴とする請求項１記載の監視端末の画面調整方法。
【請求項３】
画面の見やすさを問い合わせるにあたり、ＷＥＢページ上にユーザーの視力を照会するインターフェースを設けたことを特徴とする請求項１または２記載の監視端末の画面調整方法。
【請求項４】
ＷＥＢページの表示色を変更するにあたり、ＷＥＢページ中の文字色を定義するＲＧＢ値と背景色を定義するＲＧＢ値とを別々に調整することを特徴とする請求項１、２または３記載の監視端末の画面調整方法。
【発明の詳細な説明】
【技術分野】
【０００１】
本発明は、各種設備機器の動作状態を監視するシステムにおいて、監視端末の画面を見やすく調整する方法に関する。
【背景技術】
【０００２】
従来、自家発電設備や空調機器等の動作状態を監視サーバで監視し、監視情報をＷＥＢページに載せて監視サーバから複数の監視端末に提供し、監視端末のユーザーがディスプレイに表示されたＷＥＢページを閲覧して、設備機器の動作状態を遠隔地で監視するシステムが知られている（例えば、特許文献１，２）。
【特許文献１】特開２００５−２０４１８３号公報
【特許文献２】特開２００５−２９１６１０号公報
【発明の開示】
【発明が解決しようとする課題】
【０００３】
この種の監視システムによれば、監視情報をＷＥＢページ中のグラフや文字で監視端末の画面上に精細に表示できる利点がある。しかし、従来の監視システムによると、監視サーバが複数の監視端末に同じ色調のＷＥＢページを提供しているため、ユーザーの視力や監視端末の設置場所（採光条件）によっては、画面上のＷＥＢページが見えにくくなることがあった。また、表示設定を変更可能な監視端末の場合は、画面の表示色をハードウエア上で調整できるが、調整作業にたいへん手間がかかるという問題点があった。
【０００４】
そこで、本発明の目的は、ＷＥＢページを利用した簡単な対話により、監視端末の画面を見やすく調整できる方法を提供することにある。
【課題を解決するための手段】
【０００５】
上記の課題を解決するために、本発明は、設備機器の動作状態を監視サーバで監視し、監視情報をＷＥＢページに載せて監視サーバから監視端末に提供するシステムおいて、次のような画面調整方法を提案する。
【０００６】
（１）監視サーバがＷＥＢページを用いて監視端末のユーザーに画面の見やすさを問い合わせ、ユーザーからの応答に基づいてＷＥＢページの表示色を変更することを特徴とする監視端末の画面調整方法。
【０００７】
（２）ユーザーが画面を見やすいと応答したときに、監視サーバがＷＥＢページの表示色データを監視端末のアドレスに関連付けて登録することを特徴とする監視端末の画面調整方法。
【０００８】
（３）画面の見やすさを問い合わせるにあたり、ＷＥＢページ上にユーザーの視力を照会するインターフェースを設けたことを特徴とする監視端末の画面調整方法。
【０００９】
（４）ＷＥＢページの表示色を変更するにあたり、ＷＥＢページ中の文字色を定義するＲＧＢ値と背景色を定義するＲＧＢ値とを別々に調整することを特徴とする監視端末の画面調整方法。
【００１０】
なお、ＷＥＢページの作成にあたっては、文書構造を定義するＨＴＭＬ、画面の視覚的構造を規定するＣＳＳ、対話性を付加するＪａｖａ（登録商標）Ｓｃｒｉｐｔ等の周知技術を利用できる。また、本発明の方法は、ＷＥＢブラウザを用いたネットワーク環境下、例えば、監視サーバと複数の監視端末とをホームネットワーク（家庭内ＬＡＮ）やインターネットを介して接続した監視システムに好ましく適用できる。設備機器としては、自家発電設備、家電機器、ガス機器、水利用機器等の住宅設備機器のほか、空調設備、照明設備、通信機器、防犯機器等の事業用設備機器を例示できる。
【発明の効果】
【００１１】
本発明の画面調整方法は、監視情報をＷＥＢページに載せて監視サーバから監視端末に提供するシステムにおいて、次のような効果を奏する。
【００１２】
（ａ）ＷＥＢページ上で画面の見やすさをユーザーに問い合わせ、ユーザーの応答に基づいてＷＥＢページの表示色を監視サーバ側で変更するので、ＷＥＢページを利用した簡単な対話により監視端末の画面を見やすく調整することができる。
【００１３】
（ｂ）見やすくなったＷＥＢページの表示色を監視端末のアドレスに関連付けて監視サーバに登録するので、次回アクセスしたユーザーは最適なＷＥＢページを直ちに閲覧でき、監視端末のユーザビリティが向上する。
【００１４】
（ｃ）ＷＥＢページ上にユーザーの視力を照会するインターフェースを設けたので、近視または遠視のユーザーにＷＥＢページ上の精細な監視情報をより見やすく提供することができる。
【００１５】
（ｄ）ＷＥＢページ中の文字色と背景色とを別々に調整するので、特に、監視端末の画面上に文字情報をより見やすく表示することができる。
【発明を実施するための最良の形態】
【００１６】
以下、本発明を実施するための最良の形態を図面に基づいて説明する。図１は住宅用のエネルギー監視システムを示す。この監視システム１は一台の監視サーバ２と複数台の監視端末３，４とから構成されている。住宅の内外には、太陽光や燃料電池を利用する自家発電設備５、ガスレンジやガス湯沸かし器等のガス利用機器６、台所水栓やトイレ等の水利用機器７等が設置され、これらの設備機器がＬＡＮケーブル８を介して監視サーバ２に接続されている。
【００１７】
監視サーバ２は、各種のセンサを用いて自家発電設備５の発電量や運転時間、ガス利用機器６のガス消費量や二酸化炭素発生量、水利用機器７の水道水温度等の動作情報を収集し、ＷＥＢブラウザを用いて可視的な監視情報を作成し、ＷＥＢページに載せて監視端末３，４に送信する。監視端末３，４には居住者が日常的に使用するパソコンが用いられ、パソコンの通信ポートがＬＡＮケーブル８、ハブ９を介して監視サーバ２に接続され、これらの通信機器によってホームネットワークが構築されている。
【００１８】
そして、端末機３，４のユーザーが、ＷＥＢブラウザを立ち上げて監視サーバ２にアクセスし、監視サーバ２が提供するＷＥＢページをディスプレイ１０，１１の画面に表示し、設備機器５，６，７から離れた住宅内の各所で、各機器５，６，７の動作状態を監視および制御するようになっている。なお、監視システム１に居住者の携帯電話を組み入れ、居住者が外出先からインターネットを介して監視サーバ２にアクセスし、設備機器５，６，７の動作状態を遠隔地で監視できるように構成することも可能である。
【００１９】
図２に示すように、監視サーバ２は監視処理実行部１３とＷＥＢデータ処理部１４と通信制御部１５とを備えている。監視処理実行部１３は、センサからの入力信号を所定の監視プログラムに従って処理し、設備機器５，６，７の監視情報を表示部１６（図１参照）に表示し、監視情報記憶部１７に記憶するとともに、ＷＥＢデータ処理部１４に出力する。また、監視処理実行部１３は、センサからの入力信号が異常値を示した場合に、警報指令を警報出力部１８に送信して、警報器（図示略）を動作させる。
【００２０】
ＷＥＢデータ処理部１４には、ページデータ格納部１９と端末情報登録部２０とが接続されている。ページデータ格納部１９には定型のＷＥＢページデータが格納され、端末情報登録部２０に各監視端末３，４に固有のアドレスと表示色データとが関連付けて登録されている。ＷＥＢデータ処理部１４は、格納部１９から読み出したページデータに監視処理実行部１３から入力した監視情報と端末情報記憶部２０から入力した端末情報とを組み合わせてＷＥＢページを作成する。そして、通信制御部１５がＷＥＢページを監視端末３，４に送信するとともに、監視端末３，４から応答情報を受信する。
【００２１】
次に、上記構成の監視システム１において、監視端末の画面調整方法を図３、図４に従って説明する。監視システム１のユーザーが監視サーバ２にアクセスすると、監視端末３，４にトップページ３１（図４ａ参照）が表示される。トップページ３１には、ユーザーに画面調整の必要性を問い合わせる「はい」ボタン３２と、監視画面に進む「次へ」ボタン３３とが設けられている。ユーザーが「はい」ボタン３２を押すと、監視サーバ２が画面調整の要求を確認し（図３：Ｓ１）、ユーザーに画面の見やすさを問い合わせる画面確認ページ３４（図４ｂ参照）を監視端末３，４に送信する（Ｓ２）。
【００２２】
画面確認ページ３４には、文字情報を含むサンプル表示３５と、この表示３５がよく見える場合に押す「ＯＫ」ボタン３６と、見えにくい場合にユーザーの視力を照会するインターフェースとしての「近視」ボタン３７および「遠視」ボタン３８とが設けられている。ここで、ユーザーが「ＯＫ」ボタン３６を押すと（Ｓ３）、監視サーバ２のＷＥＢデータ処理部１４は現在のＷＥＢページデータに含まれる表示色データつまりＲＧＢ値を該当する監視端末３，４のアドレスに関連付けて端末情報登録部２０に登録する（Ｓ４）。
【００２３】
一方、ユーザーが「近視」ボタン３７または「遠視」ボタン３８を押すと、ＷＥＢデータ処理部１４はＷＥＢページデータ中の文字色を定義するＲＧＢ値と背景色を定義するＲＧＢ値とをそれぞれ別々に調整する。すなわち、「近視」ボタン３７が押された場合に（Ｓ６）、文字色のＲ（赤）値を高め、背景色のＧ（緑）値を高めて（Ｓ７）、ＷＥＢページ中の文字を背景から浮かび上がらせ、近視のユーザーに文字情報の見やすい画面を提供する。「遠視」ボタン３８が押された場合は（Ｓ８）、文字色のＧ値を高め、背景色のＲ値を高めて（Ｓ９）、文字を背景から浮かび上がらせ、遠視のユーザーに文字情報の見やすい画面を提供する。
【００２４】
その後、ＷＥＢデータ処理部１４は、調整済の画面確認ページ３４を監視端末３，４に再度送信し（Ｓ２）、一連の調整処理を繰り返して、画面の表示色を段階的に変更する。そして、ユーザーが「ＯＫ」ボタン３６を押した時点で、最適化された表示色データを端末情報登録部２０に登録する。従って、次回アクセスしたユーザーは、トップページ３１で「次へ」ボタン３３を押して直ちに監視画面に進み、見やすく調整された監視用ＷＥＢページを閲覧して、所要の監視情報をストレスなく取得することができる。
【図面の簡単な説明】
【００２５】
【図１】本発明の一実施形態を示す監視システムの構成図である。
【図２】該システムにおける監視サーバの機能を示すブロック図である。
【図３】該監視サーバによる画面調整方法を示すフローチャートである。
【図４】該調整方法を説明するＷＥＢページの画面図である。
【符号の説明】
【００２６】
１    監視システム
２    監視サーバ
３    監視端末
４    監視端末
５    自家発電設備
６    ガス利用機器
７    水利用機器
１３    監視処理実行部
１４    ＷＥＢデータ処理部
１５    通信制御部
１９    ページデータ格納部
２０    端末情報登録部
３１    トップページ
３４    画面確認ページ
【図１】
2008028898.tif 000003
【図２】
2008028898.tif 000004
【図３】
2008028898.tif 000005
【図４】
2008028898.tif 000006